(57)【要約】【課題】  任意のパターンで場面転換を行うことの出来る映像合成装置を提供する。【解決手段】  映像合成装置は、第１の動画データを入力する第１の動画データ入力手段と、第２の動画データを入力する第２の動画データ入力手段と、位置情報と該位置情報に対応する複数段階の分解能を有する基準データを供給する供給手段と、複数段階の分解能を有する閾値データを入力する閾値入力手段と、所定位置の前記基準データと前記閾値データを比較する比較する手段と、前記比較手段の比較結果に基づき、前記第１の動画データと前記第２の動画データのいずれか一方を選択して前記所定位置のデータとして出力する出力手段とを有する。【選択図】  図１
2005267564.tif 000002
【特許請求の範囲】
【請求項１】
第１の動画データを入力する第１の動画データ入力手段と、
第２の動画データを入力する第２の動画データ入力手段と、
位置情報と該位置情報に対応する複数段階の分解能を有する基準データを供給する供給手段と、
複数段階の分解能を有する閾値データを入力する閾値入力手段と、
所定位置の前記基準データと前記閾値データを比較する比較する手段と、
前記比較手段の比較結果に基づき、前記第１の動画データと前記第２の動画データのいずれか一方を選択して前記所定位置のデータとして出力する出力手段と
を有する映像合成装置。
【請求項２】
第１の動画データを入力する第１の動画データ入力手順と、
第２の動画データを入力する第２の動画データ入力手順と、
位置情報と該位置情報に対応する複数段階の分解能を有する基準データを供給する供給手順と、
複数段階の分解能を有する閾値データを入力する閾値入力手順と、
所定位置の前記基準データと前記閾値データを比較する比較する手順と、
前記比較手順の比較結果に基づき、前記第１の動画データと前記第２の動画データのいずれか一方を選択して前記所定位置のデータとして出力する出力手順と
を有する映像合成処理をコンピュータに実行させるためのプログラム。
【発明の詳細な説明】
【技術分野】
【０００１】
本発明は、映像合成装置に関し、より詳しくは、動画の場面転換が出来る映像合成装置に関する。
【背景技術】
【０００２】
従来、一つの動画画像から他の動画像に場面転換することができる装置が知られている。従来の装置では、場面転換のパターン（トランジションパターン）が、ハードウェア的又はソフトウェア的に一つ又は複数のプリセットパターンに固定されている。 また、音楽のテンポにあわせて画像を切り替える装置が知られている。（例えば特許文献１参照）。
【０００３】
【特許文献１】特開２００２−２６２１７９号公報
【発明の開示】
【発明が解決しようとする課題】
【０００４】
従来の映像合成装置では、トランジションパターンが固定されているので、ユーザが自分で作成したパターンを用いて場面転換を行うことが出来なかった。
【０００５】
本発明の目的は、任意のパターンで場面転換を行うことの出来る映像合成装置を提供することである。
【課題を解決するための手段】
【０００６】
本発明の一観点によれば、映像合成装置は、第１の動画データを入力する第１の動画データ入力手段と、第２の動画データを入力する第２の動画データ入力手段と、位置情報と該位置情報に対応する複数段階の分解能を有する基準データを供給する供給手段と、複数段階の分解能を有する閾値データを入力する閾値入力手段と、所定位置の前記基準データと前記閾値データを比較する比較する手段と、前記比較手段の比較結果に基づき、前記第１の動画データと前記第２の動画データのいずれか一方を選択して前記所定位置のデータとして出力する出力手段とを有する。
【発明の効果】
【０００７】
本発明によれば、任意のパターンで場面転換を行うことの出来る映像合成装置を提供することができる。
【発明を実施するための最良の形態】
【０００８】
【実施例】
【０００９】
図１は、本発明の実施例による映像合成装置１の機能を示すブロック図である。
【００１０】
映像合成装置１は、例えば、第１の動画像入力部２ａ、第２の動画像入力部２ｂ、濃淡データ供給部３、操作子４、画像合成部５及び画像合成部５から供給される合成画像ＭＶＣを表示する表示部６を含んで構成される。なお、表示部６は、外部の表示装置を接続してもよい。
【００１１】
第１の動画像入力部２ａ及び第２の動画像入力部２ｂは、外部からの動画データの入力を受け付け、それぞれが動画データＭＶ１及びＭＶ２として画像合成部５に供給する。なお、映像合成装置１は、記憶装置を内蔵してもよく、該記憶装置に記録された画像データＭＶ１及びＭＶ２の一方又は双方を読み出して画像合成部５に供給するようにしても良い。
【００１２】
濃淡データ供給部３は、濃淡データ等のトランジションパターンデータを比較部５１に供給する。濃淡データＨＴＤは１フレームの全ての画像座標（ｘ，ｙ）についての２５６段階の分解能を有する情報を記録したデータであり、例えば、２５６段階のハーフトーンのグラデーションパターンなどが考えられる。本実施例では、各座標に付き０〜２５５の範囲の照度ＬＴＰを有するハーフトーンのグラデーションパターンによる静止画を濃淡データＨＴＤ（図３〜図５参照）として用いる。
【００１３】
濃淡データＨＴＤは、グラデーションパターンに限らず、通常のハーフトーンの静止画若しくは通常のカラー静止画をハーフトーンに変換したもの等でもよい。また、静止画に限らずハーフトーンの静止画を用いることも出来る。さらに、映像合成装置１が、カラー画像等のハーフトーン画像への変換機能を有していても良い。また、静止画を時間経過に従い切り替えて使用しても良い。
【００１４】
また、照度の分解能は、２５６段階に限らず２段階以上の分解能であればよい。さらに、照度に限らず、位置情報（画像座標）と関連付けられた２段階以上の分解を有する情報であれば、例えば、明度等でもよい。また、ハーフトーンに限らずカラー画像のＲＧＢのいずれかの照度等を用いることも出来る。
【００１５】
さらに、濃淡データＨＴＤとしてハーフトーンの又はハーフトーンに変換された動画像を用いることも出来る。例えば、第１の動画像入力部２ａ及び第２の動画像入力部２ｂのいずれかに入力される動画像を濃淡データＨＴＤとして用いることも出来る。
【００１６】
本実施例では、市販のソフトウェア等で簡単に作成することの出来るハーフトーンのグラデーション静止画を濃淡データＨＴＤとして試用する。
【００１７】
操作子４は、例えば、スイッチ、パッド、フェーダ、スライダ、文字入力用キーボード、マウス、ロータリーエンコーダ、ジョイスティック、ジョグシャトル等、ユーザの操作子応じて、濃淡データＨＴＤの分解能に応じた分解能を有するものであればどのようなものでもよい。また、操作子４は、マウス等の他の操作子を用いて操作するディスプレイ上に表示されるソフトスイッチ等でもよい。本実施例では、２５６段階の分解能を有する操作子４を用いる。操作子４は、操作位置に従い、０〜２５５の範囲の閾値を比較部５１に供給する。
【００１８】
画像合成部５は、比較部５１及び画像選択合成部５２を含んで構成される。比較部５１は、濃淡データ供給部３から供給される画像座標（ｘ，ｙ）における濃淡データＨＴＤの照度ＬＴＰ（０〜２５５）と操作子４から供給される閾値ＴＨＶ（０〜２５５）とを比較し、比較結果を画像選択合成部５２に供給する。
【００１９】
画像選択合成部５２は、比較部５１による比較結果に基づき、第１の動画像入力部２ａ及び第２の動画像入力部２ｂから供給される動画データＭＶ１及びＭＶ２を合成し、合成動画像ＭＶＣを出力する。具体的には、比較部５１によりある画像座標（ｘ，ｙ）における照度ＬＴＰが閾値ＴＨＶより大きいと判断された場合には、当該画像座標（ｘ，ｙ）においては、第１の動画像入力部２ａから入力される動画データＭＶ１を合成動画像における画像座標（ｘ，ｙ）の画像データとして採用する。なお、上記とは逆に、比較部５１によりある画像座標（ｘ，ｙ）における照度ＬＴＰが閾値ＴＨＶ以下であると判断された場合に、当該画像座標（ｘ，ｙ）においては、第１の動画像入力部２ａから入力される動画データＭＶ１を合成動画像における画像座標（ｘ，ｙ）の画像データとして採用するようにしてもよい。
【００２０】
図２は、図１の画像合成部５で行われる画像合成処理を表すフローチャートである。この画像合成処理は、合成画像ＭＶＣとして出力する１フレームの画像における全ての画像座標（ｘ，ｙ）について１ピクセルずつ繰り返し行われる。
【００２１】
ステップＳＡ１で、画像合成処理を開始し、ステップＳＡ２では、操作子４から入力される閾値ＴＨＶ（０〜２５５）を検出する。
【００２２】
ステップＳＡ３では、濃淡データ供給部３から供給される画像座標（ｘ，ｙ）における濃淡データＨＴＤの照度ＬＴＰ（０〜２５５）を取得する。
【００２３】
ステップＳＡ４では、ステップＳＡ２で検出した閾値ＴＨＶとステップＳＡ３で取得した照度ＬＴＰを比較し、照度ＬＴＰが閾値ＴＨＶより大きいか否か（照度ＬＴＰ＞閾値ＴＨＶ）を判断する。照度ＬＴＰが閾値ＴＨＶより大きい場合は、ＹＥＳの矢印で示すステップＳＡ５に進む。照度ＬＴＰが閾値ＴＨＶ以下の場合は、ＮＯの矢印で示すステップＳＡ６に進む。なお、このステップＳＡ４での比較を、照度ＬＰＴ≦閾値ＴＨＶとすることも出来る。
【００２４】
ステップＳＡ５では、第１の動画像ＭＶ１の画像座標（ｘ，ｙ）のデータを合成動画像ＭＶＣ（表示用データ）として採用する。その後ステップＳＡ７に進み、画像合成処理を終了する。
【００２５】
ステップＳＡ６では、第２の動画像ＭＶ２の画像座標（ｘ，ｙ）のデータを合成動画像ＭＶＣ（表示用データ）として採用する。その後ステップＳＡ７に進み、画像合成処理を終了する。
【００２６】
図３は、本実施例による画像合成処理の第１の具体例を説明するための図である。
【００２７】
図３（Ａ）は、この第１の具体例で、比較部５１に供給される濃淡データＨＴＤ１を表す図である。濃淡データＨＴＤ１は、右から左にかけて照度が０から２５５に線形に増加するハーフトーンのグラデーション画像である。
【００２８】
図３（Ｂ）は、図３（Ａ）に示す濃淡データＨＴＤ１が与えられたときに、操作子４から入力される閾値ＴＨＶが「６３」であるときの合成画像ＭＶＣ１を示す。合成画像ＭＶＣ１は、濃淡データＨＴＤ１の照度が６３以下の部分に第２の動画像ＭＶ２が表示され、それ以外の部分には第１の動画像ＭＶ１が表示されている。
【００２９】
図３（Ｃ）は、図３（Ａ）に示す濃淡データＨＴＤ１が与えられたときに、操作子４から入力される閾値ＴＨＶが「１９１」であるときの合成画像ＭＶＣ２を示す。合成画像ＭＶＣ２は、濃淡データＨＴＤ１の照度が１９１以下の部分に第２の動画像ＭＶ２が表示され、それ以外の部分には第１の動画像ＭＶ１が表示されている。
【００３０】
図４は、本実施例による画像合成処理の第２の具体例を説明するための図である。
【００３１】
図４（Ａ）は、この第２の具体例で、比較部５１に供給される濃淡データＨＴＤ２を表す図である。濃淡データＨＴＤ２は、中心から周辺部にかけて照度が０から２５５に同心円状に増加するハーフトーンのグラデーション画像である。
【００３２】
図４（Ｂ）は、図４（Ａ）に示す濃淡データＨＴＤ２が与えられたときに、操作子４から入力される閾値ＴＨＶが「６３」であるときの合成画像ＭＶＣ３を示す。合成画像ＭＶＣ３は、濃淡データＨＴＤ１の照度が６３以下の部分に第２の動画像ＭＶ２が表示され、それ以外の部分には第１の動画像ＭＶ１が表示されている。
【００３３】
図４（Ｃ）は、図４（Ａ）に示す濃淡データＨＴＤ２が与えられたときに、操作子４から入力される閾値ＴＨＶが「１２７」であるときの合成画像ＭＶＣ４を示す。合成画像ＭＶＣ４は、濃淡データＨＴＤ１の照度が１２７以下の部分に第２の動画像ＭＶ２が表示され、それ以外の部分には第１の動画像ＭＶ１が表示されている。
【００３４】
図５は、本実施例による画像合成処理の第３の具体例を説明するための図である。
【００３５】
図５（Ａ）は、この第３の具体例で、比較部５１に供給される濃淡データＨＴＤ３を表す図である。濃淡データＨＴＤ３は、短冊状のハーフトーンのグラデーションパターンが交互に並べられた画像である。
【００３６】
図５（Ｂ）は、図５（Ａ）に示す濃淡データＨＴＤ３が与えられたときに、操作子４から入力される閾値ＴＨＶが「６３」であるときの合成画像ＭＶＣ４を示す。合成画像ＭＶＣ４は、濃淡データＨＴＤ１の照度が６３以下の部分に第２の動画像ＭＶ２が表示され、それ以外の部分には第１の動画像ＭＶ１が表示されている。
【００３７】
図５（Ｃ）は、図５（Ａ）に示す濃淡データＨＴＤ３が与えられたときに、操作子４から入力される閾値ＴＨＶが「１９１」であるときの合成画像ＭＶＣ５を示す。合成画像ＭＶＣ５は、濃淡データＨＴＤ３の照度が１９１以下の部分に第２の動画像ＭＶ２が表示され、それ以外の部分には第１の動画像ＭＶ１が表示されている。
【００３８】
以上、本発明の実施例によれば、外部から供給される濃淡データの照度の値と操作子から入力される閾値とを比較することにより、第１及び第２の動画像のいずれかのピクセルを選択的に出力することができる。
【００３９】
このように、濃淡データの照度のような値を基準値として用いることが出来るので、ユーザが市販のソフトウェア等で作成したグラデーション画像等を用いて動画像の場面転換を制御することができる。
【００４０】
また、ユーザの作成する任意のパターンで動画像の場面転換を行うことが出来るので、場面転換のパターンのバリエーションを飛躍的に増大させることが出来る。
【００４１】
なお、本実施例では、操作子から閾値を手動で入力したが、閾値を自動で変化させるようにしてもよい。その場合に、例えば、ＭＩＤＩデータ等のテンポに従い再生される自動演奏データの音量情報等を閾値として入力することも出来る。このようにすると、音楽のテンポにあわせた場面転換が容易に行える。
【００４２】
また、上述の実施例では、濃淡データの照度レベルを位置情報とともに用いて、第１の動画像又は第２の動画像のいずれかを選択するための基準値としたが、例えば、閾値と一致する照度レベルの位置を画像のコピー開始位置とすることにより、画像の画面上の位置を制御することも出来る。
【００４３】
なお、本実施例は、本実施例に対応するコンピュータプログラム等をインストールした汎用のコンピュータ等によって、実施させるようにしてもよい。
【００４４】
その場合には、本実施例に対応するコンピュータプログラム等を、ＣＤ−ＲＯＭやフロッピー（登録商標）ディスク等の、コンピュータが読み込むことが出来る記憶媒体に記憶させた状態で、ユーザに提供してもよい。
【００４５】
以上実施例に沿って本発明を説明したが、本発明はこれらに制限されるものではない。例えば、種々の変更、改良、組み合わせ等が可能なことは当業者に自明であろう。
【図面の簡単な説明】
【００４６】
【図１】本発明の実施例による映像合成装置１の機能を示すブロック図である。
【図２】図１の画像合成部５で行われる画像合成処理を表すフローチャートである。
【図３】本実施例による画像合成処理の第１の具体例を説明するための図である。
【図４】本実施例による画像合成処理の第２の具体例を説明するための図である。
【図５】本実施例による画像合成処理の第３の具体例を説明するための図である。
【符号の説明】
【００４７】
１…映像合成装置、２…動画像入力部、３…濃淡データ供給部、４…操作子、５…画像合成部、６…表示部、５１…比較部、５２…画像選択合成部
【図１】
2005267564.tif 000003
【図２】
2005267564.tif 000004
【図３】
2005267564.tif 000005
【図４】
2005267564.tif 000006
【図５】
2005267564.tif 000007